(57)【特許請求の範囲】
【請求項１】
外部からの電線を接続する端子として速結端子を用いたランプソケットであって、絶縁性の筐体の内に照明器具のソケット取付面へのランプの投影面内に配置されるように速結端子を収納し、前記ソケット取付面に対して前記速結端子の接続電線を鎖錠する鎖錠ばねの接続電線への接触荷重方向が略平行になるように速結端子を筐体に配置して成ることを特徴とするランプソケット。
【請求項２】
速結端子をランプ取付面に沿って複数設けたことを特徴とする請求項１記載のランプソケット。
【請求項３】
片口金蛍光ランプ用であって、各々対を為して同一のランプフィラメントに接続される４個の速結端子を備え、少なくとも一方の対を為す同一ランプフィラメントに接続される速結端子を互いに隣接させて成ることを特徴とする請求項２記載のランプソケット。
【請求項４】
同一ランプフィラメントに接続される対を為す速結端子を、互いに隣接するように配置して成ることを特徴とする請求項３記載のランプソケット。
【請求項５】
前記４個の速結端子を並設するとともに両外側に配置される速結端子の鎖錠ばねの鎖錠側に対向する端子部位を筐体の外側向きに、鎖錠ばねを筐体の内側向きとなるように配置していることを特徴とする請求項３又は請求項４記載のランプソケット。
【発明の詳細な説明】
【０００１】
【発明の属する技術分野】
本発明は、片口金蛍光ランプ用の薄型のランプソケットに関するものである。
【０００２】
【従来の技術】
この種のランプソケットには特開平１−２０９６８１号公報に見られるものがある。
この従来例は図１３に示すようにランプソケット５をその裏面により取付板に取り付けた時、ランプ口金面と取付板との間に速結端子１３ａ’、１３ｂ’が配置され、取付板に対して電線鎖錠部の動作軌跡が非平行の位置になるように速結端子を配置したもので、その速結端子１３ａ’、１３ｂ’の配列は同一ランプフィラメントに接続される速結端子が互いに隣接した位置になっている。
【０００３】
また他の従来例としては特開平６−６８９１４号公報に見られるものもある。
上記前者の従来例においては、ランプの直下にランプソケットを配置するように取り付けた場合、速結端子１３ａ’、１３ｂ’の配置が取付板に対して、所謂縦向きに配置されているので、取付板からの速結端子収納部の高さ寸法が大きくなり、そのためソケット高さ寸法が大きくなるという欠点があった。
【０００４】
また後者の従来例では、電線鎖錠部の動作軌跡が取付面と略平行になっているが、しかし、接続電線の引回し方向が動作軌跡と直交する方向の場合電線鎖錠部から接続電線が横ずれを起こしやすく、最悪の場合、接続電線の外れが生じる危険性があるという問題があった。
【０００５】
【発明が解決しようとする課題】
本発明は、上述の問題点に鑑みて為されたもので、その目的とするところは速結端子の接続信頼性を向上し、その上速結端子及び筐体の取付面からの高さが最小で、且つ取付面への投影面積を最小にするランプソケットを提供するにある。
【０００６】
【課題を解決するための手段】
上記目的を達成するために請求項１の発明では、外部からの電線を接続する端子として速結端子を用いたランプソケットであって、絶縁性の筐体の内に照明器具のソケット取付面へのランプの投影面内に配置されるように速結端子を収納し、前記ソケット取付面に対して前記速結端子の接続電線を鎖錠する鎖錠ばねの接続電線への接触荷重方向が略平行になるように速結端子を筐体に配置したので、速結端子の取付面からの高さを薄くすることができ、その結果ランプ高さを低くすることができて、器具高さを小さくすることが可能となり、接続電線の引回し方向が取付面と直交方向に関して小さくでき、接続電線のずれを小さくできる。更に接続電線の取付面と平行方向への引回し時に芯線が接触荷重方向に動くため鎖錠部の接触信頼性が向上する。
【０００７】
請求項２の発明では、請求項１の発明において、速結端子をランプ取付面に沿って複数設けたもので、複数の接続電線に対して上記の効果が期待でき、また接続電線の接続作業が向上する。
請求項３の発明では、請求項２の発明において、片口金蛍光ランプ用であって、各々対を為して同一のランプフィラメントに接続される４個の速結端子を備え、少なくとも一方の対を為す同一ランプフィラメントに接続される速結端子を互いに隣接させて成ることを特徴とし、また請求項４の発明では、請求項３の発明において、同一ランプフィラメントに接続される対を為す速結端子を、互いに隣接するように配置しているので、ランプ電圧等の電圧が印加される一か所の絶縁距離をトラッキングによる不具合防止等の目的で確保しても、筐体の幅を小さくすることができる。
【０００８】
請求項５の発明では、請求項３又は請求項４において、前記４個の速結端子を並設するとともに両外側に配置される速結端子の鎖錠ばねの鎖錠側に対向する端子部位を筐体の外側向きに、鎖錠ばねを筐体の内側向きとなるように配置しているので、同一及び異なるランプフィラメントの両端に接続される速結端子間の絶縁距離を同一とした場合にもトラッキングの生じる危険性を１箇所のみとして最小にできる。
【０００９】
【発明の実施の形態】
以下、本発明の実施形態を図面を参照して説明する。
（実施形態１）
本実施形態のソケット５は図１、図２に示すように合成樹脂成形品からなるソケットボディ１１と、ソケットボディ１１の底面開口部に嵌着する合成樹脂成形品からなるソケットカバー１２とで絶縁性の筐体が構成され、ソケットボディ１１はランプの管体の軸方向に直交させる一側面に接続電線１４をランプ円周方向の接線方向に引き出すことができるように電線挿入口１５…及び電線解除孔４４…を横一列に開口してある。また電線挿入口１５…及び電線解除孔４４…を開口している側面とは反対側面の近傍のソケットボディ１１の上面部には角柱状の突部１６とランプ直径方向の突部１６両側に連接した突部１７とからなる壁状突出部１８及び、壁状突出部１８の両側に沿って形成された支承台１９とを設けてある。上記突部１６は上面にランプピンを差し込むためのピン差し込み孔２０を２対開口してピン差し込み部６を構成し、突部１７は突部１６よりやや低く形成され、ソケット取付ねじ４７を挿通するためのナット内蔵の挿通孔３０が開口してある。
【００１０】
両支承台１９は上面を後述する環型ランプ３のランプ口金部４０の下面の形状に合わせて形成して口金部４０を支えるためのものであり、ソケットボディ１１のランプ直径方向の両側面より突出せる端部間の凹み部で略コ状のランプ支持ばね２１の両側片の溝部２２を構成するとともに、端部の相対する部位には縦溝２６を形成している。この縦溝２６は上記ランプ支持ばね２１の両側片の下部両側縁より突出せる突起２１ａをガイドするものである。また溝部２２にはランプ支持ばね２１の両側片に夫々内側で且つ下向きに形成した係止爪２３の先端を係止する係止段部２４を設けてある。上記突部１６の内側は、各ピン差し込み孔２０に対応するように２対のランプピン接触端子２５ａ，２５ｂ、…を収納する収納部を形成してある。
【００１１】
ソケットカバー１２は上面両側に側壁１２ａを立設するとともに、片側上面の中央にはランプ直径方向に２分するように仕切壁２７で仕切って夫々一対の速結端子１３ａ，１３ｂを収納する速結端子載置部２９，２９を形成してある。各速結端子載置部２９は載置する一対の速結端子１３ａ、１３ｂを分離するためのリブ２８を突設してある。
【００１２】
更にこれらの速結端子収納部２９，２９に連通するように他側上面には、ランプピン接触端子２５ａ，２５ｂ、…を載置する載置部３１を設けてあり、この載置部３１の両側の側壁１２ａ，１２ａは内側に寄って形成され側壁１２ａの外側のソケットカバー１２に上記挿通孔３０に対向する挿通孔３２を穿設し、またソケットカバー１２をソケッボディ１１の底面開口に嵌着した際にソケットボディ１１に形成せる係止孔（図示せす）に先端係止爪３３ａが係止される係止突起３３を突設したスぺースを確保している。
【００１３】
また同様にソケットカバー１２をソケットボディ１１の底面開口に嵌着した際にソケットボディ１１に形成せる係止部（図示せす）に係止する係止爪３４を各速結端子載置部２９にも突設してある。
上記速結端子１３ａ（又は１３ｂ）とランプ接触端子２５ａ（又は２５ｂ）とは金属板を打抜き折り曲げ形成して一体に設けたもので、速結端子１３ａ（又は１３ｂ）は図１において、下向き開口したコ字状の端子部４５とこの端子部４５の一側片の先端より延設して端子部内に延長した鎖錠ばね４６とで構成され、端子部４５の先端開口を上記電線挿入口１５の内側開口に対向するようにソケットボディ１１内に配置されるようになっている。ここで速結端子１３ａ（又は１３ｂ）の端子部１４の鎖錠ばね４６の鎖錠部位の幅、つまり端子部１４の高さｂは接続電線１４の芯線径以上に設定し、また鎖錠ばね４６の高さ、つまり端子部１４の幅ｈは鎖錠ばね４６の弾性確保のために設定し、両者の関係をｈ＞ｂとしてある。そして同じランプフィラメントの両端に接続する対となる速結端子１３ａ，１３ｂの鎖錠ばね４６は互いに背中合わせとなるようように形成され、互いの鎖錠部が離間するようにしてある。つまり隣接する電線挿入口１５，１５間を離して電線接続作業性の向上を図っている。電線解除孔４４は対の速結端子１３ａ，１３ｂに対応する電線挿入口１５，１５間に開口して夫々の速結端子１３ａ，１３ｂに対応するようになっている。
【００１４】
さて中央部側に配置される速結端子１３ａに対応するランプ接触端子２５ａは中央片の後端の片側縁より後方に真っ直ぐ延出した連接片３７により一体に連結されているもので、基端部が連結片により連結された一対の導電片３８、３８からなり、一対の導電片３８，３８はやや外側に拡がり、その拡がり部位の下端から連結片５０の連結部位に至る位置までは下方に向けて広がる形となるように折り曲げ形成されたもので、導電片３８，３８の対向方向、つまり一対の導電片３８，３８を結ぶ方向は溝部２２の長手方向と略直交する方向となるように配置される。
【００１５】
また速結端子１３ｂに対応するランプ接触端子２５ｂは中央片の後端の片側縁より後方に内側によるように傾けて延設し更にその先端上縁を側方に延長した連接片３７’により一体に連結されているもので、内側の速結端子１３ａに対応するランプ接触端子２５ａの後方に配置されるようになっており、その形状はランプ接触端子２５ａと同じ形状となっている。
【００１６】
而してランプソケット５の組み立ては次のように行なう。
まずソケットカバー１２の速結端子載置部２９，２９及び載置部３１上に速結端子１３ａ，１３ｂ、…、及びそれらに連結されるランプ接触端子２５ａ，２５ｂ、…に載置した状態でソケットカバー１２をソケットボディ１１の底面開口部に嵌着する。この時係止爪３４及び係止突起３３の先端係止爪３３ａがソケットボディ１１の係止孔に係止してソケットボディ１１にソケットカバー１２が固定されることになる。このときソケットボディ１１内ではランプ接触端子２５ａ、２５ｂ、…がピン差し込み部６の内側に収納され、夫々に対応するピン差し込み孔２０に対向する。また速結端子１３ａ，１３ｂ、…が対応する電線挿入口１５…に対向することとなる。
【００１７】
そしてこの状態でランプ支持ばね２１の両側側片をソケットボディ１１の両側の溝部２２にソケットカバー１２側から嵌め込むとともに縦溝２６に突起２１ａを挿入しながら、ソケットボディ１１或いはランプ支持ばね２１を、ソケットカバー１２の底面の溝３５にランプ支持ばね２１の中央片が嵌まる位置まで移動させる。この時係止爪２３が係止段部２４に係止され、ランプ支持ばね２１が固定される。この固定によりランプ支持ばね２１を備えたランプソケット５が完成することになる。
【００１８】
このように構成されたランプソケット５は器具本体１の取付面の取付孔３６に挿通孔３０，３２及びランプ支持ばね２１の中央片に穿設してある挿通孔２１ｃを介して挿通したソケット取付ねじ４７を螺合させて器具本体１に固定される。このときランプソケット５の電線挿入口１５及び電線解除孔４４は装着される環型ランプ３の円周の接線方向となるように配置する。
【００１９】
一方本発明のランプソケット５に対応する環型ランプ３は図２に示すように２重環状になるように一本の細径の管体を曲げて外観が２重環状でランプ面が平面となるように形成したもので、管体の折り返し部及び両端部を収納し両端部のフィランメント電極（図示せず）に接続された２対のランプピン３９ａ，３９ｂ、…をランプ面に対して直交する方向に突出したランプ口金面４１を持つランプ口金部４０を環状の途中に設けてある。
【００２０】
このランプ口金部４０は合成樹脂成形品からなり、両側に管体の折り返し部及び両端を収納部を形成し、中央部の片面には環型ランプ３の直径方向に、ランプソケット５の壁状突出部１８が嵌合されるように壁状突出部１８の外形に対応する形状の溝部４２を形成し、その溝部４２の中央部に上記ランプ口金面４１を形成している。
【００２１】
このランプ口金面４１に突出せるランプピン３９ａ，３９ｂ、…は上述のようにランプ面に対して直交する方向に突出し、且つランプの直径Ｒを挟んで同じランプフィラメントの両端に接続したランプピン３９ａ、３９ｂが対称配置される。  また溝部４２の両端には、ランプソケット５に設けたランプ支持ばね２１の両側片の先端にく字状に屈曲して形成したランプ係合部２１ｂを係合する係合突起４３を設けてある。
【００２２】
そしてランプソケット５に対して環型ランプ３を装着する場合には器具本体１側のランプ保持部４Ａ（又は４Ｂ）に管体を嵌合保持ささせるとももにランプソケット５の壁状突出部１８を溝部４２に対向させ、この状態で壁状突出部１８を溝部４２内に嵌合して突部１６に開口してあるピン差し込み孔２０…にランプピン３９ａ，３９ｂ、…を差し込む。この際ランプソケット５側のランプ支持ばね２１のランプ係合部２１ｂが溝部４２内の係合突起４３に係合して環型ランプ３が図３に示すように保持されることになる。
【００２３】
ここで図４に示すようにランプソケット５内の各速結端子１３ａ，１３ｂ、…はその鎖錠ばね４６の動作軌跡面を取付面に対して平行で且つランプソケット５に装着される環型ランプ３の略投影面内に配置され、電線挿入口１５…を介して速結端子１３ａ，１３ｂ、…に接続された接続電線１４…の引き回し範囲ロは、図５において環型ランプ３とランプソケット５の取付面たる器具本体１との間であるため、上下方向の範囲ハが限定され、そのため構造的に接続電線１４…のずれが生じにくい。
【００２４】
また図４に示すように器具本体１に対して水平方向ロに接続電線１４…が引き回される場合、引き回し範囲は最大１８０°の範囲となる。この場合速結端子１３ａ，１３ｂ，…内で芯線が移動しようとするが、その移動方向と鎖錠ばね４６による荷重方向イが略同方向となる。また図５に示すランプソケット５の電線挿入口１５…形成側の高さ寸法Ｈが最小となる。
【００２５】
尚図１で示す実施形態では、対となる速結端子１３ａ，１３ｂは互いの鎖錠ばね４６，４６が背中合わせとなるように形成しているが、図６に示すように鎖錠ばね４６の先端が外側に向くように形成しても、隣接する対の速結端子１３ａ，１３ｂに対応する電線挿入口１５，１５を離間させることができ、電線挿入作業性を良好なものとすることができる。この場合電線解除孔４４は夫々の速結端子１３ａ，１３ｂ、…に対応して設ける。
【００２６】
（実施形態２）
本実施形態は、絶縁距離を確保することを主眼とするものであり、図７に示すように対となる各速結端子１３ａ，１３ｂの夫々の鎖錠ばね４６を夫々の先端が中央部へ向くように形成して鎖錠部を筐体中心寄りとし、ソケットボディ１１の側面に電線挿入口１４及び電線解除孔４４を各速結端子１３ａ，１３ｂ…に対応させて横一列に設けてある。尚その他の構成は実施形態１と同じであるため、同じ構成要素には同じ番号を付し説明は省略する。
【００２７】
ところで本実施形態では図８、図９に示すようにランプ３の同一ランプフィラメントｆ1 ，ｆ2 に対応する速結端子１３ａ，１３ｂを隣接配置してその間の絶縁距離ｘとした場合、ランプソケット５の中心部の一か所においてのみにおいて隣合う、異なるランプフィラメントｆ1 ，ｆ2 に対応する速結端子１３ａ、１３ａ間は、図９に示すように点灯装置の安定器Ｌからのランプ電圧等が印加され、トラッキング等の問題が生じやすため、その絶縁距離ｙを、上記絶縁距離ｘ以上としている。また上記のように鎖錠ばね４６を形成することにより、外側の電線挿入口１５を筐体の中心側へ偏位させることができ、当該電線挿入口１５の開口縁と筐体端部との距離Ａを０よりも大きくすることができ、絶縁特性を向上できる。尚図９中Ｃ0 は予熱用コンデンサ、ＡＣは商用電源である。
【００２８】
図１０、図１１は本実施形態のランプソケット５に環型ランプ３を装着する状態を示すものであるが、装着手順は実施形態１と同じであるので、ここでは同じ構成要素に同じ番号を付し、説明は省略する。
ところで外側の電線挿入口１５をランプソケット５の筐体の中心側に偏位させるために、対となる速結端子１３ａ，１３ｂの各鎖錠ばね４４をその先端が互いに向き合う方向となるように形成して図１２に示すように配置しても良い。この場合対の速結端子１３ａ，１３ｂに対応する電線挿入口１５，１５の位置の外側に夫々の電線解除孔４４，４４を開口する。
【００２９】
【発明の効果】
外部からの電線を接続する端子として速結端子を用いたランプソケットであって、絶縁性の筐体の内に照明器具のソケット取付面へのランプの投影面内に配置されるように速結端子を収納し、前記ソケット取付面に対して前記速結端子の接続電線を鎖錠する鎖錠ばねの接続電線への接触荷重方向が略平行になるように速結端子を筐体に配置したので、速結端子の取付面からの高さを薄くすることができ、その結果ランプ高さを低くすることができて、器具高さを小さくすることが可能となり、接続電線の引回し方向が取付面と直交方向に関して小さくでき、接続電線のずれを小さくでき、更に接続電線の取付面と平行方向への引回し時に芯線が接触荷重方向に動くため鎖錠部の接触信頼性が向上するという効果がある。
【００３０】
請求項２の発明は、請求項１の発明において、速結端子をランプ取付面に沿って複数設けたもので、複数の接続電線に対して上記の効果が期待でき、また接続電線の接続作業性が向上するという効果がある。
請求項３の発明は、請求項２の発明において、片口金蛍光ランプ用であって、各々対を為して同一のランプフィラメントに接続される４個の速結端子を備え、少なくとも一方の対を為す同一ランプフィラメントに接続される速結端子を互いに隣接させて成ることを特徴とし、また請求項４の発明では、請求項３の発明において、同一ランプフィラメントに接続される対を為す速結端子を、互いに隣接するように配置しているので、ランプ電圧等の電圧が印加される一か所の絶縁距離をトラッキングによる不具合防止等の目的で確保しても、筐体の幅を小さくすることができるという効果がある。
【００３１】
請求項５の発明は、請求項３又は請求項４において、前記４個の速結端子を並設するとともに両外側に配置される速結端子の鎖錠ばねの鎖錠側に対向する端子部位を筐体の外側向きに、鎖錠ばねを筐体の内側向きとなるように配置しているので、同一及び異なるランプフィラメントの両端に接続される速結端子間の絶縁距離を同一とした場合にもトラッキングの生じる危険性を１箇所のみとして最小にできるという効果がある。
【図面の簡単な説明】
【図１】本発明の実施形態１の分解斜視図である。
【図２】同上に使用の環型ランプとランプソケットとの装着説明図である。
【図３】同上に使用の環型ランプとランプソケットとの装着説明図である。
【図４】同上のソケットカバーを外した状態のソケットボディの下面図である。
【図５】同上のランプ装着状態の側面図である。
【図６】同上の別の例のソケットカバーを外した状態のソケットボディの下面図である。
【図７】本発明の実施形態２の分解斜視図である。
【図８】同上のソケットカバーを外した状態のソケットボディの下面図である。
【図９】同上を用いる点灯装置の回路構成図である。
【図１０】同上に使用の環型ランプとランプソケットとの装着説明図である。
【図１１】同上に使用の環型ランプとランプソケットとの装着説明図である。
【図１２】同上の別の例のソケットカバーを外した状態のソケットボディの下面図である。
【図１３】従来例の説明図である。
【符号の説明】
１  器具本体
５  ランプソケット
６  ランプ差し込み部
１１  ソケットボディ
１２  ソケットカバー
１３ａ、１３ｂ  速結端子
１５  電線挿入口
１６  突部
１７  突部
１８  壁状突部
１９  支承台
２０  ピン差し込み孔
２１  ランプ支持ばね
２２  溝部
２６  縦溝
２５ａ，２５ｂ  ランプ接触端子
３８  導電片
３７，３７’  連接片
４０  端子部
４４  電線解除孔
４６  鎖錠ばね
５０  連結片
【図１】
0003666169.tif 000002
【図２】
0003666169.tif 000003
【図３】
0003666169.tif 000004
【図４】
0003666169.tif 000005
【図５】
0003666169.tif 000006
【図６】
0003666169.tif 000007
【図７】
0003666169.tif 000008
【図８】
0003666169.tif 000009
【図９】
0003666169.tif 000010
【図１０】
0003666169.tif 000011
【図１１】
0003666169.tif 000012
【図１２】
0003666169.tif 000013
【図１３】
0003666169.tif 000014